(57)【要約】【課題】多種の敷き寝具を整然と陳列出来、また、容易にそれを取り出し試用し得る敷き寝具展示装置を得る。【解決手段】正面に向けて開放された敷き寝具収納用の多段の棚よりなる敷き寝具ストッカーと、走行自在としたベースフレームに、敷き寝具載置テーブルを昇降可能に設けてなるテーブルリフターと、敷き寝具を乗せ敷き寝具載置テーブルと敷き寝具収納棚との間で敷き寝具を移動するトレーとよりなるものであって、敷き寝具収納用棚の前面に、該棚と敷き寝具載置テーブルとのレベルを同じにしてテーブルリフターを停止させることで、敷き寝具収納用の多段の各棚に置かれている敷き寝具を適宜選択してトレーごと敷き寝具載置テーブルに容易に引き出し得るようにしている。【選択図】図１
2006068203.tif 000002
【特許請求の範囲】
【請求項１】
敷き寝具ストッカーの、多段に設けられた敷き寝具収納展示用棚に、収納展示している敷き寝具を、前記棚からテーブルリフターの敷き寝具載置テーブル上に取り出し、該リフターを、試用位置に移動し体感計測台として使用することを特徴とする、敷き寝具の収納展示方法。
【請求項２】
敷き寝具をトレーの上に載せて取り扱う事を特徴とする、請求項１記載の敷き寝具の収納展示方法。
【請求項３】
体感計測用のセンサーを、体感計測台として使用しているリフターに載置されている敷き寝具の上に置いて計測することを特徴とする、請求項１記載の敷き寝具の収納展示方法。
【請求項４】
多段の敷き寝具収納展示用棚を有する敷き寝具ストッカーと、走行自在のベースフレームに敷き寝具載置テーブルを昇降可能に設けてなるテーブルリフターと、敷き寝具を乗せ敷き寝具載置テーブルと前記棚との間で敷き寝具を載置し移動するトレーとよりなり、前記棚の前面に、該棚と敷き寝具載置テーブル面とのレベルを同じにしてテーブルリフターを停止させ得、棚から敷き寝具載置テーブル上に取り出した敷き寝具を試用スペースに移動し、テーブルリフターによりベッドでの使用高さと等しく設定した敷き寝具の試用を可能としたことを特徴とする、敷き寝具の収納展示装置。
【請求項５】
多段に設けた棚にリフター収容空間を有することを特徴とする請求項２記載の敷き寝具の収納展示装置。
【請求項６】
トレーは、敷き寝具を載置し、敷き寝具載置テーブル面と接する面に摩擦抵抗の少ないシートを張り付けたことを特徴とする請求項２記載の敷き寝具の収納展示装置。
【発明の詳細な説明】
【技術分野】
【０００１】
本発明は、敷き布団，ベッドマットレス，パッド，枕等の寝具、特に身体の下に敷いて使用する敷き寝具について、顧客が陳列品の中から希望の品を選択し、実際にその上に横たわり、寝心地や体圧や沈み込み形状等を体感し自分にフィットする寝具を選定することが出来るよした、敷き寝具の収納展示方法及び装置に関する。
【背景技術】
【０００２】
敷き布団，ベッドマットレス，パッド，枕等の寝具は、毎日使用するものであり、昨今の健康志向の高まりと共に関心が高まり、各人にフィットした寝具への要求が高い。敷き寝具の性能は、人の体重、体型によって異なり、体圧分散性、体の沈み込み具合等に影響を及ぼす。使用者にとって硬すぎる寝具では、体圧は高く筋肉を圧迫し褥瘡の原因となり、また、臀部が上り過ぎ腰を突き上げ腰痛原因となる。柔らか過ぎる寝具では、体圧分布は良いが、腰の部分が沈み込みすぎて腰痛原因ともなる。
寝具の販売には、一連の商品群を構成するベッドフレーム，マットレス等のクッション，ベッドパット，敷寝具，枕等を同時に陳列し、それらの組み合わせとして購入者に商品を選択してもらうような手法が採用されている。従って、個人個人の体重、体型にマッチした適度な敷き寝具を選定することは寝具選定上、重要なことである。寝具の展示場や寝具売り場などでは、コンサルティングセールスとして、様々な計測装置を置いて、各人にフィットする寝具の選定、提供がされている。このような関連商品、測定装置等を集中することにより売り場面積が増大している。然も、寝具は横たわって使用するものであり、展示場や寝具売り場では場所を取り、収納や移動等の取り扱いも大変で、多種の商品を展示することが困難となっているのが現状である。
【０００３】
そこで、少しでも多種の商品を売り場に置き、各種のマットレス，マットレス台，台カバー等の製品の中から、実際使用する実物を組み合わせたものに、見て、触れて購入する為の販売方法（特許文献１）が開発されているが、種々の製品を並べて収納されており、重量の有るマットレス，マットレス台，台カバー等を各種組み合わせて選択して見ることは大変な労力と時間を要する。
【０００４】
使用者が就寝時横になったときにどのような体重分布となるかを知る為の計測手段として、マットレスの各部に加わる圧力の分布状態を検出するセンサーを組み込んで計測するもの（特許文献２）が提案されており、寝具の開発や、展示場や寝具売場で寝具を選定する際の計測に使われている。然し、特定の１つのマットレスを測定専用としてセンサー等を組み込む事は出来るが、商品として展示してあるマットレスの中に計測装置を取り付けることは不可能で、展示してある個々のマットレスの体感計測をすることはできない。
【０００５】
また、敷き寝具と就寝者の間に計測装置を介在させて計測する方法（特許文献３）がある。文献３に記載の計測装置は、複数の関接片を連繋し各関節片に圧力計及び屈折計を設け、敷き寝具の沈み込みカーブ及び荷重を知るようにしている。
然し、これら敷き寝具を計測するに際しては、広げた寝具の上に計測機を置き、その上に人が横たわって計測する必要がある。狭い展示場や寝具売場で、大きく、重量の有る敷き寝具を計測する毎に入れ替ええることは、唯いなスペースと労力を要し、コンサルティングを行なうのにコンパクトに短時間で出し入れする方法および装置が望まれている。
【特許文献１】特開２００２−９５５６２号
【特許文献２】特開平６−２２８３３号
【特許文献３】特開２００３−１３６６３４号
【発明の開示】
【発明が解決しようとする課題】
【０００６】
本発明は、上記の点に鑑みて、敷布団，ベッドマットレス，ベッドパッド等の多品種の寝具類の収納展示を必要とするベッド売り場において、特に多種の寝具類をコンパクトに収納陳列出来、必要とする寝具を、容易に取り出し体感計測できる収納展示方法及び装置を得ることを目的とする。
【課題を解決するための手段】
【０００７】
請求項１記載の敷き寝具の収納展示方法は、敷き寝具ストッカーの多段に設けられた敷き寝具収納展示用棚に収納展示している敷き寝具を、前記棚からテーブルリフターの敷き寝具載置テーブル上に取り出し、該リフターを、試用位置に移動し体感計測台として使用することよりなる。
請求項２記載の発明は、請求項１記載の敷き寝具の収納展示方法において、敷き寝具をトレーの上に載せて取り扱う事を特徴とする。
請求項３記載の発明は、請求項１記載の敷き寝具の収納展示方法において、体感計測用のセンサーを、体感計測台として使用しているリフターに載置されている敷き寝具の上に置いて計測することを特徴とする。
請求項４記載の敷き寝具の収納展示装置は、多段の敷き寝具収納展示用棚を有する敷き寝具ストッカーと、走行自在のベースフレームに敷き寝具載置テーブルを昇降可能に設けてなるテーブルリフターと、敷き寝具を乗せ敷き寝具載置テーブルと前記棚との間で敷き寝具を載置し移動するトレーとよりなり、前記棚の前面に、該棚と敷き寝具載置テーブル面とのレベルを同じにしてテーブルリフターを停止させ得、棚から敷き寝具載置テーブル上に取り出した敷き寝具を試用スペースに移動し、テーブルリフターによりベッドでの使用高さと等しく設定した敷き寝具の試用を可能としている。
請求項５記載の発明は、請求項２記載の敷き寝具の収納展示装置において、多段に設けた棚の下部にリフター収容空間を有することを特徴とする。
請求項６記載の発明は、請求項２記載の敷き寝具の収納展示装置において、トレーは、敷き寝具を載置し、敷き寝具載置テーブル面と接する面に摩擦抵抗の少ないシートを張り付けたことを特徴とする。
【発明の効果】
【０００８】
本発明敷き寝具の収納展示方法及び装置は、敷き寝具ストッカーと、テーブルリフターと、トレーとよりなるもので、敷き寝具ストッカーは、各棚に敷き寝具を載置して、例えば展示販売ルーム等に置けば、棚に収容されている多量の敷き寝具の外観上の特徴が一目で見ることが出来、また、テーブルリフターは、前記敷き寝具ストッカーの棚の高さと同じレベルで停止させ得る敷き寝具載置テーブルを有しているので、テーブルリフターを敷き寝具ストッカーの前面に停止し棚と敷き寝具載置テーブルを同高としトレーを移動することにより容易に労力を要することなく敷き寝具を棚からリフターの敷き寝具載置テーブル上に移動させ得ることが出来る。そしてリフトを下げることで通常の使用時の高さでの敷き寝具の外観を見、かつ、使用状況の体験をすることが出来ると共に、体圧分布体型の屈曲状況等の計測状況を寝具に計測装置をセットすることで、テーブルリフターを体感計測台として使用することが出来る。また、トレー底面には滑りの良いシートが貼り付けられているのでトレーの移動は容易である。
【０００９】
本発明装置にあっては、通常の状態であれば棚内に敷き寝具を収容してあるために、売り場の面積を損うことはなく、壁面にストッカーを設けることにより敷き寝具の外観により装飾的な効果も発揮させ得る。
【発明を実施するための最良の形態】
【００１０】
本発明を実施するための最良の形態を図面と共に次に説明する。
本発明敷き寝具展示装置１は、敷き寝具２の収納展示用の棚３を多段に組み立ててなる敷き寝具ストッカー４と、敷き寝具ストッカー４から取り出した敷き寝具２を敷き寝具載置テーブル５に受け、該敷き寝具２が購入後ベッドフレーム上に置かれて使用される際の状態に合わせて、床面からの高さを適宜選択して試用し展示するためのテーブルリフター６とよりなっている。上記多段の棚３は、多段多列に立体的に設けても良い。
【００１１】
敷き寝具ストッカー４は、敷き寝具２を収容出来る間隔を有して設けたサイドフレーム７，７間に棚３を複数段設け棚３，３間を敷き寝具収容空間８としてなるもので、棚３，３間は敷き寝具２を置くことの出来る間隔を有し、一部には後述するリフター６をその高さを縮少して収容できるリフター収容空間９を形成している。図示した棚３の段数は３段であるが、段数は特に限定しないが、テーブルリフター６の最高上挙高によって決定される。前記各棚３には、敷き寝具を受け載置しているトレー３７の出し入れを容易に行えるよう、トレー３７を受ける受けローラー３ａ及びトレー３７を左右から挾持する位置にガイドローラ３ｂを設けている。また、図４に示す如くトレー３７が何等かの原因により棚３から移動するのを防止するための移動防止ピン３ｃを、その先端が、前記ガイドローラー３ｂにより案内されるトレー３７の移動軌跡内に突出するように設けている。
【００１２】
テーブルリフター６は、次の如く構成されている。図２に第１の実施例を、図３に第２の実施例を示す。図２においてベースフレーム１０に、Ｘ字状に支点１３で交差した昇降脚１１，１２の一方の昇降脚１２の下端を旋回同自在に軸１４により支持し、他方の昇降脚１１の上端を旋回動自在に軸１５により敷き寝具載置テーブル５に支持している。そして、各昇降脚１１，１２の自由端には、ロール１６，１７を支持し、該ロール１６はベースフレーム１０に設けた断面コ字状のガイド部材１８に嵌合させ、ロール１７は敷き寝具載置テーブル５に設けた断面コ字状のガイド部材１９に嵌合させ、各ロール１６，１７はそれぞれのガイド部材１８，１９内を転動することで昇降脚１１，１２の交差角度を変更し、ひいては敷き寝具載置テーブル５の高さを調節することが出来るようにしている。上記Ｘ字状の昇降脚１１，１２はテーブルリフター６の両側端に対に設けられており、対の昇降脚１１，１１間及び又は昇降脚１２，１２間には連結杆等による連結部材１１ａ，１２ａが設けられ対の昇降脚１１，１２は一体に上下動する。
【００１３】
前記連結部材１１ａには、ギアードモーター２０が揺動自在に設けられている。ギアードモーター２０はその回転によりロッド２２を出没する。ロッド２２の先端は、一対の昇降脚１２間を連結する連結部材１２ａの中間に枢支されているため、モーター２０の回転につれて昇降脚１１の下部を左右に移動出来るようにしている。
【００１４】
上記の移動は、昇降脚１１の下端のロール１６がベースフレーム１０に設けられたガイド部材１８に嵌合していることで、ロール１６がガイド部材１８に案内されて移動し、同時に昇降脚１２の頂部に設けられたロール１７が敷き寝具載置テーブル５のガイド部材１９内を転動することで昇降脚１１，１２は脚を開閉し、敷き寝具載置テーブル５の高さを変更する。
【００１５】
上記実施例はギアードモーター２０により昇降脚１１，１２を開閉し、敷き寝具載置テーブル５を昇降させているが、敷き寝具載置テーブル５の昇降手段として昇降脚１１，１２にスプリングを設けてその弾性を利用する手段も考えられる。
【００１６】
即ち、図３Ａに示す第２実施例の如く、対の昇降脚１１，１１及び同１２，１２間の上部に設けた連結棒１１ａ，１２ａと、ベースフレーム１０に設けた軸１４，１１ｂとの間にガススプリング２３，２４を設け、その弾性により常に昇降脚１１，１２を立てて敷き寝具載置テーブル５を上昇する方向に付勢する。
【００１７】
敷き寝具載置テーブル５には敷き寝具２の落下を防止するストッパー３０，テーブルリフター６を移動させるときの把手とすることの出来るガイドバー３１，敷き寝具載置テーブル５を棚３の高さに応じて上昇させた際の位置決めを行うためのストッパー３２を設けている（図１Ａ，Ｂ）。ストッパー３２の構造は特に限定されるものではなく、所定の棚６に敷き寝具載置テーブル５が相対したときに棚側から機械的或いは電気的に突出させたピン等に係合することで敷き寝具載置テーブルが位置を正確に停止固定するようなもの、或いは、モーターの回転により昇降脚を作動させるような場合モーターの回転数を知って所定の位置に停止するような例も考えられる。一例をあげると（図１Ａ，Ｂ）ストッパー３２はテーブルリフター６の中央前面から、背面にかけ押圧杆３２ａを摺動自在に取り付け、押圧杆３２ａの端部の把手３２ｂを持ち、それを押し出すことにより、押圧杆３２ａの先端を棚３に係合することで位置決めをし位置を固定することになる。把手３２ｂを手前に引くと固定が解除される。
【００１８】
また、ベースフレーム１０には、テーブルリフター６が自在に移動出来るようキャスター３３を設けると共に、テーブルリフター６の高さを最も低くし敷き寝具ストッカー４のリフター収容空間９に入れる際に、敷き寝具載置テーブル５の上昇を阻止固定するためのフック３５（図１Ａ）及び下降した敷き寝具載置テーブル５を支えるストッパー３６を設けている。
【００１９】
また、敷き寝具ストッカー４への敷き寝具２の出し入れを容易とするために、トレー３７を使用する。トレー３７は敷き寝具２を乗せる板状台で、裏面に滑りの良いシート３７ａを貼り付け、敷き寝具２を乗せた状態で敷き寝具ストッカー４とテーブルリフター６との間の移動及び敷き寝具載置テーブル５上でのトレー３７の移動を容易にしている。トレー３７の左右及び奥の縁部にはコ字状に敷き寝具の移動阻止材３７ａを設けている。
【００２０】
本発明の敷き寝具収納展示装置によって敷き寝具２を展示販売する際には、敷き寝具ストッカー４の棚３から試用したいと希望された敷き寝具２をテーブルリフター６の敷き寝具載置テーブル５に取り出して、テーブルリフター６を試用位置に移動し敷き寝具載置テーブル５の高さを、使用するベッドの高さと同程度に下げて、全体を観察し、また実際に敷き寝具の上に横たわり使用感を会得すると共に、体感を計測する。
使用位置には体感計測を行なうセンサー及びその制御装置が設けられているので、取り出したマットレス等の敷き寝具にそれをセットして計測を行ない使用者に滴した品を選択する。
【００２１】
就寝時に就寝者が受ける感覚として、寝具のふっくらさ，柔らかさ，手触り，温かさを得るか冷涼感を得るか、などの使用感とは別に、就寝者の体型に応じた寝具の変形（凹み）等による体感がある。使用感は当該寝具に横たわった際に知る事が出来るが、就寝者の体型体重によって、寝具がどのように変形したかを知ることはむずかしい。就寝者が敷き寝具上に横たわった際に寝具は各部分が受ける就寝者の体型，体重によって格別の変形をする。その荷重分布をあらかじめ知ることでそれに最も対応した対荷重分布の寝具を選択すれば良いことになる。
【００２２】
これを繰り返して品物を選ぶことになるが、棚３からの敷き寝具２の取り出し及び返還は次の如く行われる。
敷き寝具２の返還時には、敷き寝具２を敷き寝具載置テーブル５に乗せたテーブルリフター６を、空棚を持つ敷き寝具ストッカー４の前に位置させ、テーブルリフター６のモーター２０を駆動し、ロッド２２を突出し昇降脚１１，１２を起立し敷き寝具載置テーブル５を上昇する。この際敷き寝具載置テーブル５に設けられている図示しないセンサーは敷き寝具載置テーブル５が各棚と対面するごとにそれを感知し、モーターの停止信号を発し、敷き寝具載置テーブル５の上昇を停止する。その位置の棚に敷き寝具を収縮しないときは、停止後所定時間経過後自動的にモーターは駆動を再開しテーブルリフター６は敷き寝具載置テーブル５を更に上昇する。そして次位の棚をセンサーが感知したときに前回と同様に再度所定時間内停止する。その棚が希望の収納棚である場合には起動停止の操作により所定時間経過後の運転開始をしないようにし、敷き寝具２を敷き寝具載置テーブル５と共に棚３に移し、収納が終了したときに移動スイッチを押す。テーブルリフター６は上昇時下降時共に棚の位置をセンサーが検知すると所定時間その棚と対面して停止するものである。
以上説明した例では、本発明でいう敷き寝具は、広げた状態で収納棚に収納されているが、この形態に特に限定するものではなく、取り出し易い状態をいうものであり、２つ折れ、３つ折れでも良いのは勿論である。
【産業上の利用可能性】
【００２３】
本発明は、敷き布団，敷き寝具，ベッドパット等の人体の下に敷く敷き寝具に限定することなく、枕，掛寝具等の寝具などの体感計測にも使用出来る。
【図面の簡単な説明】
【００２４】
【図１】Ａは本発明装置のモーター，スプリング等を取り外した状態の概略正面図、Ｂは本発明装置の同側面図。
【図２】本発明装置のテーブルリフターの第１の例を示し、テーブルを上昇させた状態の正面図。
【図３】本発明のテーブルリフターの第２の例を示し、Ａはテーブルを上昇した状態の正面図、Ｂは一部拡大した断面正面図。
【図４】トレー移動防止ピンを設けたトレーの部分拡大図でＡは平面図、Ｂは正面図である。
【符号の説明】
【００２５】
１  敷き寝具収納展示装置
２  敷き寝具
３  敷き寝具収納展示用棚
４  敷き寝具ストッカー
５  敷き寝具載置テーブル
６  テーブルリフター
９  リフター収容空間
１０  ベースフレーム
１１，１２  昇降脚
２０  ギアードモーター
２３，２４  ガススプリング
３７  トレー
【図１】
2006068203.tif 000003
【図２】
2006068203.tif 000004
【図３】
2006068203.tif 000005
【図４】
2006068203.tif 000006